【手続補正書】
【提出日】平成19年10月29日(2007.10.29)
【手続補正１】
【補正対象書類名】明細書
【補正対象項目名】特許請求の範囲
【補正方法】変更
【補正の内容】
【特許請求の範囲】
【請求項１】  乾燥微粒子材料；
液体モノマー；および、
開始剤、湿潤剤、および流量増加剤を含む液体；
ここで、乾燥微粒子材料は、複数の層を含む物品を形成する３次元印刷法における使用のために適しており、また液体モノマーおよび開始剤を含む液体の、乾燥微粒子材料の層の第一の領域への適用の後に、第一の領域に固化した材料が形成される、
を含む３次元印刷法のための材料システム。
【請求項２】  開始剤が、カチオン開始剤およびフリーラジカル開始剤からなる群から選ばれることを特徴とする請求項1記載の材料システム。
【請求項３】  カチオン開始剤が、硫酸、過塩素酸、フルオロスルホン酸、トリフルオロメチルスルホン酸、トリフルオロ酢酸、四塩化スズ、三塩化アルミニウム、及び三フッ化ホウ素からなる群から選ばれることを特徴とする請求項2記載の材料システム。
【請求項４】  液体モノマーが、イソブテン、アルケン、アルキル−ビニルエーテル、ビニルアセタール、ジエン、スチレン、Ｎ−ビニルカルバゾール、ベータ−ピネン、オキシラン、Ｎ−置換アジリジン、ラクタム、及びオキサゾリンからなる群から選ばれることを特徴とする請求項3記載の材料システム。
【請求項５】  フリーラジカル開始剤が、ペルオキソ二硫酸カリウム、Ｎ，Ｎ，Ｎ’，Ｎ’−テトラメチルエチレンジアミンと共に過硫酸アンモニウム、３−ジメチルアミノプロピオニトリルと共に過硫酸アンモニウム、４，４−アゾビス（４−シアノ吉草酸）と共に過硫酸カリウム、過酸化ジベンゾイル、過安息香酸t-ブチル、及びアゾビスイソブチロニトリルからなる群から選ばれることを特徴とする請求項2記載の材料システム。
【請求項６】  液体モノマーが、ビニルモノマー、アクリルモノマー、及びジエンモノマーからなる群から選ばれることを特徴とする請求項5記載の材料システム。
【請求項７】  液体モノマーが、アクリル酸、メタクリル酸、及びアクリルアミドからなる群から選ばれることを特徴とする請求項5記載の材料システム。
【請求項８】  乾燥微粒子材料、液体モノマー、および開始剤、湿潤剤、および流量増加剤を含む液体の少なくとも１つが更に染料を含むことを特徴とする請求項1記載の材料システム。
【請求項９】  モノマーを含む乾燥微粒子材料；および、
開始剤を含む液体；
ここで、乾燥微粒子材料は、複数の層を含む物品を形成する３次元印刷法における使用のために適しており、また開始剤を含む液体の、乾燥微粒子材料の層の第一の領域への適用の後に、第一の領域に固化した材料が形成される、
を含む３次元印刷法のための材料システム。
【請求項１０】  モノマーが、ビニルモノマー、アクリルモノマー、及びジエンモノマーからなる群から選ばれることを特徴とする請求項9記載の材料システム。
【請求項１１】  モノマーが、アクリル酸、メタクリル酸、アクリルアミド、及びスチレンからなる群から選ばれることを特徴とする請求項9記載の材料システム。
【請求項１２】  開始剤が、カチオン開始剤およびフリーラジカル開始剤からなる群から選ばれることを特徴とする請求項9記載の材料システム。
【請求項１３】  カチオン開始剤が、過硫酸カリウム、過硫酸アンモニウム、硫酸、過塩素酸、フルオロスルホン酸、トリフルオロメチルスルホン酸、トリフルオロ酢酸、四塩化スズ、三塩化アルミニウム、および三フッ化ホウ素からなる群から選ばれることを特徴とする請求項12記載の材料システム。
【請求項１４】  フリーラジカル開始剤が、ペルオキソ二硫酸カリウム、Ｎ，Ｎ，Ｎ’，Ｎ’−テトラメチルエチレンジアミンと共に過硫酸アンモニウム、３−ジメチルアミノプロピオニトリルと共に過硫酸アンモニウム、４，４−アゾビス（４−シアノ吉草酸）と共に過硫酸カリウム、過酸化ジベンゾイル、過安息香酸t-ブチル、及びアゾビスイソブチロニトリルからなる群から選ばれることを特徴とする請求項12記載の材料システム。
【請求項１５】  反応性被覆を有する粒子の集合を含む乾燥微粒子材料；および、
反応体を含む液体；
ここで、乾燥微粒子材料は、複数の層を含む物品を形成する３次元印刷法における使用のために適しており、また反応体を含む液体の、乾燥微粒子材料の層の第一の領域への適用の後に、第一の領域に固化した材料が形成される、
を含む３次元印刷法のための材料システム。
【請求項１６】  反応性被覆が、フェノール性前駆体、ビニル基、酸、塩基、イソシアネート、シアノアクリレート、エポキシド、アミン、カルボン酸、水酸基、アセテート、アミド、及びエステルからなる群から選ばれることを特徴とする請求項15記載の材料システム。
【請求項１７】  反応性被覆が触媒を含むことを特徴とする請求項15記載の材料システム。
【請求項１８】  触媒が、鉄、銅、カーボンスチール、ステンレススチール、アルミニウム、真鍮、モリブデン、タングステン、マグネシウム、及びコバルトからなる群から選ばれる金属であることを特徴とする請求項17記載の材料システム。
【請求項１９】  反応体がモノマーを含むことを特徴とする請求項17記載の材料システム。
【請求項２０】  反応性被覆が、カチオン開始剤およびフリーラジカル開始剤からなる群から選ばれる開始剤を含むことを特徴とする請求項17記載の材料システム。
【請求項２１】  カチオン開始剤が、硫酸、過塩素酸、フルオロスルホン酸、トリフルオロメチルスルホン酸、トリフルオロ酢酸、四塩化スズ、三塩化アルミニウム、および三フッ化ホウ素からなる群から選ばれることを特徴とする請求項20記載の材料システム。
【請求項２２】  反応体が、イソブテン、アルケン、アルキル−ビニルエーテル、ビニルアセタール、ジエン、スチレン、Ｎ−ビニルカルバゾール、ベータ−ピネン、オキシラン、Ｎ−置換アジリジン、ラクタム、及びオキサゾリンからなる群から選ばれるモノマーを含むことを特徴とする請求項21記載の材料システム。
【請求項２３】  フリーラジカル開始剤が、ペルオキソ二硫酸カリウム、Ｎ，Ｎ，Ｎ’，Ｎ’−テトラメチルエチレンジアミンと共に過硫酸アンモニウム、３−ジメチルアミノプロピオニトリルと共に過硫酸アンモニウム、４，４−アゾビス（４−シアノ吉草酸）と共に過硫酸カリウム、過酸化ジベンゾイル、過安息香酸t-ブチル、アゾビスイソブチロニトリル及びそれらの組み合わせからなる群から選ばれることを特徴とする請求項20記載の材料システム。
【請求項２４】  反応体が、ビニルモノマー、アクリルモノマー、ジエンモノマー及びそれらの組み合わせからなる群から選ばれるモノマーを含むことを特徴とする請求項23記載の材料システム。
【請求項２５】  反応体が、アクリル酸、メタクリル酸、アクリルアミド及びそれらの組み合わせからなる群から選ばれるモノマーを含むことを特徴とする請求項23記載の材料システム。
【請求項２６】  接着剤を含む乾燥微粒子材料；
接着剤を溶解するのに適した第１の液体；および、
固化剤を含む第２の液体；
ここで、乾燥微粒子材料は、複数の層を含む物品を形成する３次元印刷法における使用のために適しており、また第１および第２の液体の、乾燥微粒子材料の層の第一の領域への適用により、第１の液体が接着剤を溶解し、そして第１の液体と固化剤の間の反応が第一の領域に固化した材料を形成させる、
を含む３次元印刷法のための材料システム。
【請求項２７】  微粒子材料が、ポリ（メチルメタクリレート）、ポリスチレン、ポリアミド、ポリエステル、ラテックス、ポリエチレン、ポリプロピレン、ポリウレタン、ポリ塩化ビニル、ポリ酢酸ビニル、架橋したポリビニルピロリドン、親水性ポリウレタン、ポリ（エチレンテレフタレート）、熱可塑ウレタン、スチレン−アクリロニトリル共重合体、熱可塑ポリオレフィン、エポキシをベースとした高分子、ポリエーテル、ポリアミン、ポリ酸、ポリカーボネート、ビニル高分子、芳香族ポリアミド、ジエン高分子、ポリ（フェニレンオキシド）、ポリシロキサン、ポリノルボルネン、ポリイソプレン、ポリフェニレンエーテル、スチレン−ブタジエンブロック共重合体、アクリロニトリル−ブタジエン−スチレン、耐衝撃性ポリスチレン、及びそれらの共重合体からなる群から選ばれる不活性ポリマーを含むことを特徴とする請求項26記載の材料システム。
【請求項２８】  第１の液体が、純粋な液体および溶液の少なくとも１つを含むことを特徴とする請求項26記載の材料システム。
【請求項２９】  固化剤が、カチオン開始剤およびフリーラジカル開始剤からなる群から選ばれることを特徴とする請求項26記載の材料システム。
【請求項３０】  カチオン開始剤が、硫酸、過塩素酸、フルオロスルホン酸、トリフルオロメチルスルホン酸、トリフルオロ酢酸、四塩化スズ、三塩化アルミニウム、および三フッ化ホウ素からなる群から選ばれることを特徴とする請求項29記載の材料システム。
【請求項３１】  第１の液体が、イソブテン、アルケン、アルキル−ビニルエーテル、ビニルアセタール、ジエン、スチレン、Ｎ−ビニルカルバゾール、ベータ−ピネン、オキシラン、Ｎ−置換アジリジン、ラクタム、及びオキサゾリンからなる群から選ばれることを特徴とする請求項30記載の材料システム。
【請求項３２】  フリーラジカル開始剤が、ペルオキソ二硫酸カリウム、Ｎ，Ｎ，Ｎ’，Ｎ’−テトラメチルエチレンジアミンと共に過硫酸アンモニウム、３−ジメチルアミノプロピオニトリルと共に過硫酸アンモニウム、４，４−アゾビス（４−シアノ吉草酸）と共に過硫酸カリウム、過酸化ジベンゾイル、過安息香酸t-ブチル、アゾビスイソブチロニトリルからなる群から選ばれることを特徴とする請求項29記載の材料システム。
【請求項３３】  第１の液体が、ビニルモノマー、アクリルモノマー、ジエンモノマー、アクリル酸、メタクリル酸、及びアクリルアミドからなる群から選ばれることを特徴とする請求項32記載の材料システム。
【手続補正２】
【補正対象書類名】明細書
【補正対象項目名】００９１
【補正方法】変更
【補正の内容】
【００９１】
１つの実施態様においては、第１の反応体は、金属、セラミック酸化物又は鉱物であり、これらは液体を分配することにより可溶であり、また金属、金属酸化物又はセラミックとの反応により固化することができる微粒子高分子と反応することができる。それに代わり、上記微粒子高分子は、固化することが可能な可溶な反応性高分子で被覆された不活性粒子であることができる。可溶な微粒子高分子の例は、スルホン化ポリスチレン、ポリアクリル酸、ポリメタクリル酸、ポリビニルスルホン酸、ポリアクリル酸のアルカリ金属塩、ポリメタクリル酸のアルカリ金属塩、ポリビニルスルホン酸のアルカリ金属塩、スルホン化ポリスチレンのアンモニウム塩、ポリアクリル酸のアンモニウム塩、ポリメタクリル酸のアンモニウム塩、及びスチレンスルホン酸ナトリウムと無水マレイン酸の共重合体を含む。さらに特定の例としては、ポリアクリル酸は、金属、例えば鉄又は銅を、当該酸の塩（例えば、ポリアクリル酸鉄）に酸化することができる。そのポリアクリル酸金属塩は、その粒子の表面上に固体膜を形成する。金属カチオンは酸性溶液を拡散することができ、上記ポリアクリル酸を固化する効果を有する。
【手続補正３】
【補正対象書類名】明細書
【補正対象項目名】０１０６
【補正方法】変更
【補正の内容】
【０１０６】
一般に、微粒子材料に対する液体の割合を増加することは、最終の物品の強度を増加する。それゆえ、微粒子材料層に印刷される液体の量を最大にすることは、一般的に最終物品の強度を増加するが、しかし時々印刷された物品中の歪みの量及び／又は激しさの増加という出費を伴う。ここで使用するような「歪み」は、反り、ケーキング、滲み出し（ブリーディング）を含むが、これらに限定されない。その結果、微粒子材料に対する液体の割合は、実際上いくつかの因子によって制限され、その因子は印刷の所望の速度、及び最終の物品中の歪みの許容可能な量を含んでいる。ノズルを詰まることから防ぐためには、上記液体中に様々な製造補助剤を含ませることが望ましいかもしれない。これら及び他の添加剤の例は、米国特許第５，９０２，４４１号中に見出されることができ、これを全体として本明細書中に援用する。